(57)【要約】  本発明に係る移動局ＵＥは、移動局ＵＥに対してアクセスを許可しているＣＳＧセルに対応するＣＳＧ-ＩＤを管理するアクセス権管理部１２と、測定対象として規定されているＣＳＧセルにおける無線品質を測定する測定部１４と、測定部１４によって測定されたＣＳＧセルの無線品質のうち、アクセス権管理部１１によって管理されているＣＳＧ-ＩＤに対応するＣＳＧセルにおける無線品質が報告条件を満たした場合にのみ、当該ＣＳＧ-ＩＤに対応するＣＳＧセルにおける無線品質を少なくとも含む測定報告を送信する測定報告送信部とを具備する。
2009119595.tif 000002
【特許請求の範囲】
【請求項１】
特定移動局に対してのみアクセスを許可するように設定可能なアクセス限定セルに対してハンドオーバを行うことが可能な移動局であって、
前記移動局に対してアクセスを許可しているアクセス限定セルに対応するアクセス限定グループＩＤを管理するように構成されているアクセス権管理部と、
測定対象として規定されているアクセス限定セルにおける無線品質を測定するように構成されている測定部と、
前記測定部によって測定された前記アクセス限定セルの無線品質のうち、前記アクセス権管理部によって管理されている前記アクセス限定グループＩＤに対応するアクセス限定セルにおける無線品質が報告条件を満たした場合にのみ、前記アクセス限定グループＩＤに対応するアクセス限定セルにおける無線品質を含む測定報告を送信するように構成されている測定報告送信部とを具備することを特徴とする移動局。
【請求項２】
前記アクセス権管理部は、管理されている前記アクセス限定グループＩＤに対応するアクセス限定セルのＰＣＩ（Ｐｈｙｓｉｃａｌ  Ｃｅｌｌ  ＩＤ）及び周波数を保持及び管理することを特徴とする請求項１に記載の移動局。
【請求項３】
前記測定報告送信部は、無線品質の良い順に選択した所定数のセルにおける無線品質を含む測定報告を送信するように構成されていることを特徴とする請求項１に記載の移動局。
【請求項４】
前記測定報告送信部は、前記測定報告において、どのセルにおける無線品質が、アクセス限定セルにおける無線品質であるかについて示すように構成されていることを特徴とする請求項３に記載の移動局。
【請求項５】
前記測定報告送信部は、前記測定報告において、どのセルにおける無線品質が、前記アクセス権管理部によって管理されている前記アクセス限定グループＩＤに対応するアクセス限定セルにおける無線品質であるかについて示すように構成されていることを特徴とする請求項３に記載の移動局。
【請求項６】
前記測定部は、アクセス限定セルにおける無線品質を測定するように指定する測定方法指定情報を受信した場合に、前記測定対象として規定されている前記アクセス限定セルにおける無線品質を測定するように構成されており、
前記測定方法指定情報には、前記アクセス限定グループＩＤが含まれていないことを特徴とする請求項１に記載の移動局。
【請求項７】
特定移動局に対してのみアクセスを許可するように設定可能なアクセス限定セルに対してハンドオーバを行うことが可能な移動局であって、
測定間隔要求を送信することによって、測定対象として規定されているアクセス限定セルにおける無線品質を測定するための測定間隔を確保するように構成されている測定間隔要求送信部と、
前記測定間隔において、前記測定対象として規定されているアクセス限定セルにおける無線品質を測定するように構成されている測定部と、
前記測定部によって測定された前記アクセス限定セルの無線品質を含む測定報告を送信するように構成されている測定報告送信部とを具備することを特徴とする移動局。
【請求項８】
前記測定間隔要求送信部は、前記測定間隔要求に応じて無線基地局によって指示された前記測定間隔を確保するように構成されていることを特徴とする請求項７に記載の移動局。
【請求項９】
前記測定間隔要求送信部は、無線基地局からの通知に応じて、所定期間、前記測定間隔要求の送信を停止するように構成されていることを特徴とする請求項７に記載の移動局。
【請求項１０】
特定移動局に対してのみアクセスを許可するように設定可能なアクセス限定セルに対してハンドオーバを行うように移動局に対して指示する無線基地局であって、
前記移動局に対して、アクセス限定セルにおいて無線品質を測定するように指定する第１測定方法指定情報或いは特定の測定対象周波数において無線品質を測定するように指定する第２測定方法指定情報を送信するように構成されており、
前記第１測定方法指定情報には、前記アクセス限定セルに対応するセル個別の情報が含まれておらず、
前記第２測定方法指定情報には、少なくとも前記測定対象周波数が含まれていることを特徴とする無線基地局。
【発明の詳細な説明】
【技術分野】
【０００１】
本発明は、特定移動局に対してのみアクセスを許可するように設定可能なアクセス限定セルに対してハンドオーバを行うことが可能な移動局、及び、特定移動局に対してのみアクセスを許可するように設定可能なアクセス限定セルに対してハンドオーバを行うように移動局に対して指示する無線基地局に関する。
【背景技術】
【０００２】
家庭やオフィス等において、特定移動局（特定のユーザグループ、ＣＳＧ：Ｃｌｏｓｅｄ  Ｓｕｂｓｃｒｉｂｅｒ  Ｇｒｏｕｐ）に対してのみアクセスを許可するように設定可能なＣＳＧセル（アクセス限定セル）を設置可能な移動通信システムが知られている。【０００３】
かかる移動通信システムにおいて、移動局は、通常のマクロセルからＣＳＧセルに対してハンドオーバを行うことが可能である。以下、図７を参照して、３ＧＰＰにおいて採用されることが有力視されているハンドオーバ手順について説明する。【０００４】
図７に示すように、ステップＳ１において、マクロ無線基地局Ｍａｃｒｏ-ｅＮＢ配下のマクロセルにおいてＲＲＣ_Ｃｏｎｎｅｃｔｅｄ状態である移動局ＵＥは、当該マクロ無線基地局Ｍａｃｒｏ-ｅＮＢに対して、当該マクロセルとは異なる周波数が用いられているＣＳＧセルにおける無線品質を測定するためのギャップ期間（測定間隔）を割り当てるように要求する「Ｍｅａｓｕｒｅｍｅｎｔ  Ｇａｐ  Ｒｅｑｕｅｓｔ（測定間隔要求）」を送信する。【０００５】
ステップＳ２において、マクロ無線基地局Ｍａｃｒｏ-ｅＮＢは、上述のギャップ期間の割り当て結果を含む「Ｍｅａｓｕｒｅｍｅｎｔ  Ｃｏｎｆｉｇｕｒａｔｉｏｎ」を、移動局ＵＥに対して送信する。【０００６】
ステップＳ３において、移動局ＵＥは、「Ｍｅａｓｕｒｅｍｅｎｔ  Ｃｏｎｆｉｇｕｒａｔｉｏｎ」によって割り当てられたギャップ期間において、「ＣＳＧ  Ｗｈｉｔｅ  Ｌｉｓｔ」において管理されている「ＰＣＩ（Ｐｈｙｓｉｃａｌ  Ｃｅｌｌ  ＩＤ）」に対応するＣＳＧセルにおける無線品質を測定し、かかるＣＳＧセルにおける無線品質を含む「Ｍｅａｓｕｒｅｍｅｎｔ  Ｒｅｐｏｒｔ（ＰＣＩ  Ｒｅｐｏｒｔｉｎｇ）」を、マクロ無線基地局Ｍａｃｒｏ-ｅＮＢに対して送信する。【０００７】
ここで、ＰＣＩは、移動通信システム内で繰り返し使用され、特に、ＣＳＧセルの場合、同一マクロセルのカバレッジ内に、同一のＰＣＩを用いるＣＳＧセルが複数存在することが想定される。【０００８】
よって、１つのＰＣＩが、複数のＣＳＧセルに対応する場合があるので、マクロ無線基地局Ｍａｃｒｏ-ｅＮＢは、受信した「Ｍｅａｓｕｒｅｍｅｎｔ  Ｒｅｐｏｒｔ（ＰＣＩ  Ｒｅｐｏｒｔｉｎｇ）」に含まれるＰＣＩによって、ＣＳＧセルを一意に特定することができない場合には、ステップＳ４において、移動局ＵＥに対して、「ＧＣＩ（Ｇｌｏｂａｌ  Ｃｅｌｌ  ＩＤ）」によって特定されるＣＳＧセルに関する「Ｍｅａｓｕｒｅｍｅｎｔ  Ｒｅｐｏｒｔ（ＧＣＩ  Ｒｅｐｏｒｔｉｎｇ）」を送信するように要求する「ＧＣＩ  Ｒｅｐｏｒｔ  Ｒｅｑｕｅｓｔ」を送信する。【０００９】
ステップＳ５において、移動局ＵＥは、受信した「ＧＣＩ  Ｒｅｐｏｒｔ  Ｒｅｑｕｅｓｔ」に応じて、マクロ無線基地局Ｍａｃｒｏ-ｅＮＢに対して、ＧＣＩによって特定されるＣＳＧセルに関する「Ｍｅａｓｕｒｅｍｅｎｔ  Ｒｅｐｏｒｔ（ＧＣＩ  Ｒｅｐｏｒｔｉｎｇ）」を送信する。このＭｅａｓｕｒｅｍｅｎｔ  Ｒｅｐｏｒｔには、少なくともＧＣＩ或いはＣＳＧ-ＩＤが含まれる。【００１０】
ここで、ステップＳ２及びＳ４は、同時に行われてもよいし、ステップＳ３及びＳ５は、同時に行われてもよい。【００１１】
ステップＳ６において、マクロ無線基地局Ｍａｃｒｏ-ｅＮＢは、移動局ＵＥが当該マクロ無線基地局Ｍａｃｒｏ-ｅＮＢ配下のマクロセルからホーム無線基地局Ｈｏｍｅ-ｅＮＢ配下のＣＳＧセルにハンドオーバを行うべきであると決定し、かかるハンドオーバの準備を行うように要求する「ＨＯ  Ｐｒａｐａｒａｔｉｏｎ  Ｒｅｑｕｅｓｔ」を、当該ホーム無線基地局Ｈｏｍｅ-ｅＮＢに対して送信する。【００１２】
ステップＳ７において、ホーム無線基地局Ｈｏｍｅ-ｅＮＢは、かかるハンドオーバを行うためのリソースを確保することができた場合、マクロ無線基地局Ｍａｃｒｏ-ｅＮＢに対して、「ＨＯ  Ｐｒａｐａｒａｔｉｏｎ  ＡＣＫ」を送信する。【００１３】
ステップＳ８において、マクロ無線基地局Ｍａｃｒｏ-ｅＮＢは、「ＨＯ  Ｐｒａｐａｒａｔｉｏｎ  ＡＣＫ」を受信した場合、かかるハンドオーバを行うように指示する「ＨＯ  Ｃｏｍｍａｎｄ」を、移動局ＵＥに対して送信する。【００１４】
ステップＳ９において、移動局ＵＥは、ホーム無線基地局Ｈｏｍｅ-ｅＮＢに対するハンドオーバにかかる処理を完了した後、当該ホーム無線基地局Ｈｏｍｅ-ｅＮＢに対して「ＨＯ  Ｃｏｍｐｌｅｔｅ」を送信する。【００１５】
しかしながら、３ＧＰＰでは、上述のようなハンドオーバ手順が採用されることが有力視されているが、マクロ無線機地局Ｍａｃｒｏ-ｅＮＢが、「Ｍｅａｓｕｒｅｍｅｎｔ  Ｃｏｎｆｉｇｕｒａｔｉｏｎ」を用いて、どのように移動局ＵＥに対してＣＳＧセルにおける無線品質を測定させるべきかについて、或いは、移動局ＵＥが、「Ｍｅａｓｕｒｅｍｅｎｔ  Ｒｅｐｏｒｔ」によって、どのようにＣＳＧセルにおける無線品質の測定結果を報告するべきかについて、具体的に規定されていないという問題点があった。
【発明の開示】
【００１６】
そこで、本発明は、上述の課題に鑑みてなされたものであり、マクロセルからＣＳＧセルへのハンドオーバを最適に実現することができる移動局及び無線基地局を提供することを目的とする。
【００１７】
本発明の第１の特徴は、特定移動局に対してのみアクセスを許可するように設定可能なアクセス限定セルに対してハンドオーバを行うことが可能な移動局であって、前記移動局に対してアクセスを許可しているアクセス限定セルに対応するアクセス限定グループＩＤを管理するように構成されているアクセス権管理部と、測定対象として規定されているアクセス限定セルにおける無線品質を測定するように構成されている測定部と、前記測定部によって測定された前記アクセス限定セルの無線品質のうち、前記アクセス権管理部によって管理されている前記アクセス限定グループＩＤに対応するアクセス限定セルにおける無線品質が報告条件を満たした場合にのみ、前記アクセス限定グループＩＤに対応するアクセス限定セルにおける無線品質を含む測定報告を送信するように構成されている測定報告送信部とを具備することを要旨とする。
【００１８】
本発明の第１の特徴において、前記アクセス権管理部は、管理されている前記アクセス限定グループＩＤに対応するアクセス限定セルのＰＣＩ（Ｐｈｙｓｉｃａｌ  Ｃｅｌｌ  ＩＤ）と周波数を保持、管理するように構成されていてもよい。
【００１９】
本発明の第１の特徴において、前記測定報告送信部は、無線品質の良い順に選択した所定数のセルにおける無線品質を含む測定報告を送信するように構成されていてもよい。
【００２０】
本発明の第１の特徴において、前記測定報告送信部は、前記測定報告において、どのセルにおける無線品質が、アクセス限定セルにおける無線品質であるかについて示すように構成されていてもよい。
【００２１】
本発明の第１の特徴において、前記測定報告送信部は、前記測定報告において、どのセルにおける無線品質が、前記アクセス権管理部によって管理されている前記アクセス限定グループＩＤに対応するアクセス限定セルにおける無線品質であるかについて示すように構成されていてもよい。
【００２２】
本発明の第１の特徴において、前記測定部は、アクセス限定セルにおける無線品質を測定するように指定する測定方法指定情報を受信した場合に、前記測定対象として規定されている前記アクセス限定セルにおける無線品質を測定するように構成されており、前記測定方法指定情報には、前記アクセス限定グループＩＤが含まれていなくてもよい。
【００２３】
本発明の第２の特徴は、特定移動局に対してのみアクセスを許可するように設定可能なアクセス限定セルに対してハンドオーバを行うことが可能な移動局であって、測定間隔要求を送信することによって、測定対象として規定されているアクセス限定セルにおける無線品質を測定するための測定間隔を確保するように構成されている測定間隔要求送信部と、前記測定間隔において、前記測定対象として規定されているアクセス限定セルにおける無線品質を測定するように構成されている測定部と、前記測定部によって測定された前記アクセス限定セルの無線品質を含む測定報告を送信するように構成されている測定報告送信部とを具備することを要旨とする。
【００２４】
本発明の第２の特徴において、前記測定間隔要求送信部は、前記測定間隔要求に応じて無線基地局によって指示された前記測定間隔を確保するように構成されていてもよい。
【００２５】
本発明の第２の特徴において、前記測定間隔要求送信部は、無線基地局からの通知に応じて、所定期間、前記測定間隔要求の送信を停止するように構成されていてもよい。
【００２６】
本発明の第３の特徴は、特定移動局に対してのみアクセスを許可するように設定可能なアクセス限定セルに対してハンドオーバを行うように移動局に対して指示する無線基地局であって、前記移動局に対して、アクセス限定セルにおいて無線品質を測定するように指定する第１測定方法指定情報或いは特定の測定対象周波数において無線品質を測定するように指定する第２測定方法指定情報を送信するように構成されており、前記第１測定方法指定情報には、前記アクセス限定セルに対応するセル個別の情報が含まれておらず、前記第２測定方法指定情報には、少なくとも前記測定対象周波数が含まれていることを要旨とする。
【図面の簡単な説明】
【００２７】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局のＭｅａｓｕｒｅｍｅｎｔ  Ｃｏｎｆｉｇｕｒａｔｉｏｎ受信部によって受信される管理されている「Ｍｅａｓｕｒｅｍｅｎｔ  Ｃｏｎｆｉｇｕｒａｔｉｏｎ」の一例を示す図である。
【図４】図４は、本発明の第１の実施形態に係る移動局の測定部によって測定されるＣＳＧセルの一例を示す図である。
【図５】図５は、本発明の第１の実施形態に係る移動局のＭｅａｓｕｒｅｍｅｎｔ  Ｒｅｐｏｒｔ送信部によって送信されるＭｅａｓｕｒｅｍｅｎｔ  Ｒｅｐｏｒｔの一例を示す図である。
【図６】図６は、本発明の第１の実施形態に係る移動通信システム動作を示すフローチャートである。
【図７】図７は、一般的な移動通信システムにおいて、マクロ無線基地局配下のマクロセルからホーム無線基地局配下のＣＳＧセルへのハンドオーバを行う動作について示すシーケンス図である。
【発明を実施するための最良の形態】
【００２８】
（本発明の第１の実施形態に係る移動通信システムの構成）
図１乃至図５を参照して、本発明の第１の実施形態に係る移動通信システムの構成について説明する。なお、本実施形態では、ＬＴＥ（Ｌｏｎｇ  Ｔｅｒｍ  Ｅｖｏｌｕｔｉｏｎ）方式が適用されている移動通信システムの例について説明するが、本発明は、かかる移動通信システムの例に限定されない。【００２９】
図１に示すように、本実施形態に係る移動通信システムは、交換機ＭＭＥ等の上位ノードと、マクロ無線基地局Ｍａｃｒｏ-ｅＮＢ＃１と、複数のホーム無線基地局Ｈｏｍｅ-ｅＮＢ＃１乃至＃３とを具備している。【００３０】
マクロセル＃１は、マクロ無線基地局Ｍａｃｒｏ-ｅＮＢ＃１によって管理されており、ＣＳＧセル＃１は、ホーム無線基地局Ｈｏｍｅ-ｅＮＢ＃１によって管理されており、ＣＳＧセル＃２は、ホーム無線基地局Ｈｏｍｅ-ｅＮＢ＃２によって管理されており、ＣＳＧセル＃３は、ホーム無線基地局Ｈｏｍｅ-ｅＮＢ＃３によって管理されている。【００３１】
ここで、ＣＳＧセル＃１乃至＃３は、特定移動局に対してのみアクセスを許可するように設定可能なアクセス限定セルである。【００３２】
また、複数のホーム無線基地局Ｈｏｍｅ-ｅＮＢ＃１乃至＃３は、それぞれ、ＣＳＧセル＃１乃至＃３において、ＣＳＧ-ＩＤ（ＴＡ-ＩＤ：Ｔｒａｃｋｉｎｇ  Ａｒｅａ-ＩＤと呼ばれてもよい）を報知するように構成されている。ここで、複数のＣＳＧセルにおいて、同一のＣＳＧ-ＩＤが報知されるように構成されていてもよい。【００３３】
なお、移動局ＵＥは、マクロセル、及び、当該移動局ＵＥに対してアクセスを許可しているＣＳＧセルにおいて、通信を行うことができる、すなわち、ＲＲＣ_Ｃｏｎｎｅｃｔｅｄ状態となることができる。【００３４】
図２に示すように、本実施形態に係る移動局ＵＥは、ＣＳＧ  Ｗｈｉｔｅ  Ｌｉｓｔ管理部１２と、Ｍｅａｓｕｒｅｍｅｎｔ  Ｃｏｎｆｉｇｕｒａｔｉｏｎ受信部１３と、測定部１４と、Ｍｅａｓｕｒｅｍｅｎｔ  Ｒｅｐｏｒｔ送信部１５と、Ｍｅａｓｕｒｅｍｅｎｔ  Ｇａｐ  Ｒｅｑｕｅｓｔ送信部１６とを具備している。【００３５】
ＣＳＧ  Ｗｈｉｔｅ  Ｌｉｓｔ管理部１２は、移動局ＵＥに対してアクセスを許可しているＣＳＧセル（アクセス限定セル）に対応するＣＳＧ-ＩＤ（アクセス限定グループＩＤ）を管理するように構成されている。【００３６】
例えば、ＣＳＧ  Ｗｈｉｔｅ  Ｌｉｓｔ管理部１２は、ＵＳＩＭ（Ｕｓｅｒ  Ｓｕｂｓｃｒｉｂｅｒ  Ｉｄｅｎｔｉｔｙ  Ｍｏｄｕｌｅ）内に設けられていてもよい。【００３７】
具体的には、ＣＳＧ  Ｗｈｉｔｅ  Ｌｉｓｔ管理部１２は、移動局ＵＥに対してアクセスを許可しているＣＳＧセルに対応するＣＳＧ-ＩＤのリストを、「ＣＳＧ  Ｗｈｉｔｅ  Ｌｉｓｔ」として保存及び管理するように構成されている。【００３８】
Ｍｅａｓｕｒｅｍｅｎｔ  Ｃｏｎｆｉｇｕｒａｔｉｏｎ受信部１３は、マクロ無線基地局Ｍａｃｒｏ-ｅＮＢから送信されるＲＲＣ（Ｒａｄｉｏ  Ｒｅｓｏｕｒｃｅ  Ｃｏｎｔｒｏｌ）メッセージの１種である「Ｍｅａｓｕｒｅｍｅｎｔ  Ｃｏｎｆｉｇｕｒａｔｉｏｎ」を受信するように構成されている。【００３９】
図３に示すように、「Ｍｅａｓｕｒｅｍｅｎｔ  Ｃｏｎｆｉｇｕｒａｔｉｏｎ」は、「Ｍｅａｓｕｒｅｍｅｎｔ  ＩＤ」と「Ｍｅａｓｕｒｅｍｅｎｔ  Ｏｂｊｅｃｔ」と「Ｒｅｐｏｒｔｉｎｇ  Ｃｏｎｆｉｇｕｒａｔｉｏｎ」とによって構成されている。【００４０】
「Ｍｅａｓｕｒｅｍｅｎｔ  Ｏｂｊｅｃｔ」は、測定対象を規定する情報である。【００４１】
例えば、「Ｍｅａｓｕｒｅｍｅｎｔ  Ｏｂｊｅｃｔ」として、Ｅ-ＵＴＲＡＮ（Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）方式の移動通信システムにおける特定の周波数を示す「Ｅ-ＵＴＲＡＮ」や、ＵＴＲＡＮ（Ｕｎｉｖｅｒｓａｌ  Ｔｅｒｒｅｓｔｒｉａｌ  Ａｃｃｅｓｓ  Ｎｅｔｗｏｒｋ）方式の移動通信システムにおける特定の周波数を示す「ＵＴＲＡＮ」や、ＧＥＲＡＮ（ＧＳＭ  Ｅｄｇｅ  Ｒａｄｉｏ  Ａｃｃｅｓｓ  Ｎｅｔｗｏｒｋ）方式の移動通信システムにおける特定の周波数グループ（周波数帯域）を示す「ＧＥＲＡＮ」や、ＣＳＧセルを示す「ＣＳＧ」を規定することができる。【００４２】
すなわち、「Ｍｅａｓｕｒｅｍｅｎｔ  Ｏｂｊｅｃｔ」として「Ｅ-ＵＴＲＡＮ」や「ＵＴＲＡＮ」や「ＧＥＲＡＮ」が設定されている「Ｍｅａｓｕｒｅｍｅｎｔ  Ｃｏｎｆｉｇｕｒａｔｉｏｎ」は、測定対象の周波数において無線品質を測定するように指定する第２測定方法指定情報である。【００４３】
具体的には、「Ｅ-ＵＴＲＡＮ」や「ＵＴＲＡＮ」や「ＧＥＲＡＮ」として、測定対象周波数（周波数帯域）や、当該測定対象周波数に存在する周辺セルに関する情報、「Ｂｌａｃｋ  ｌｉｓｔｅｄ  ｃｅｌｌｓ」等が設定され得る。【００４４】
周辺セルに関する情報は、ＮＣＬ（Ｎｅｉｇｈｂｏｕｒ  Ｃｅｌｌ  Ｌｉｓｔ）と呼ばれても良く、ＮＣＬには、ＰＣＩ（当該マクロセルで用いられているスクランブリングコード）やセル個別オフセット等が含まれてよい。【００４５】
また、「Ｍｅａｓｕｒｅｍｅｎｔ  Ｏｂｊｅｃｔ」として「ＣＳＧ」が設定されている「Ｍｅａｓｕｒｅｍｅｎｔ  Ｃｏｎｆｉｇｕｒａｔｉｏｎ」は、アクセス限定セルにおいて無線品質を測定するように指定する第１測定方法指定情報である。【００４６】
具体的には、「ＣＳＧ」として、オプションとして、移動局が保持する「ＣＳＧ  Ｗｈｉｔｅ  Ｌｉｓｔ」に含まれるＣＳＧ-ＩＤに対応した全ＣＳＧセルに対して一律で適用される所定のオフセット値が設定されてもよい。該オフセット値は、移動局が「Ｍｅａｓｕｒｅｍｅｎｔ  Ｒｅｐｏｒｔ」を起動する条件を評価する際に考慮される。【００４７】
すなわち、「ＣＳＧ」として、当該ＣＳＧセルに対応するＣＳＧ-ＩＤや、当該ＣＳＧセルで用いられている周波数（周波数帯域）や、当該ＣＳＧセルのＮＣＬ（Ｎｅｉｇｈｂｏｕｒ  Ｃｅｌｌ  Ｌｉｓｔ）や、当該ＣＳＧセルのＰＣＩ（当該ＣＳＧで用いられているスクランブリングコード）や、当該ＣＳＧセルのＧＣＩ等は設定されない。これらは、移動局内部のアクセス権管理部によって「ＣＳＧ  Ｗｈｉｔｅ  Ｌｉｓｔ」の情報要素として保持・管理される。【００４８】
「Ｒｅｐｏｒｔｉｎｇ  Ｃｏｎｆｉｇｕｒａｔｉｏｎ」は、「Ｍｅａｓｕｒｅｍｅｎｔ  Ｒｅｐｏｒｔ（測定報告）」の起動条件及び送信方法を規定する情報である。【００４９】
例えば、「Ｒｅｐｏｒｔｉｎｇ  Ｃｏｎｆｉｇｕｒａｔｉｏｎ」として、所定の送信契機（例えば、Ｅｖｅｎｔ  Ａ１乃至Ａ５）によって「Ｍｅａｓｕｒｅｍｅｎｔ  Ｒｅｐｏｒｔ」を送信する方法（Ｅｖｅｎｔ  Ｔｒｉｇｇｅｒ）や、周期的に「Ｍｅａｓｕｒｅｍｅｎｔ  Ｒｅｐｏｒｔ」を送信する方法（Ｐｅｒｉｏｄｉｃａｌ）を設定することができる。【００５０】
また、「Ｒｅｐｏｒｔｉｎｇ  Ｃｏｎｆｉｇｕｒａｔｉｏｎ」として、「Ｍｅａｓｕｒｅｍｅｎｔ  Ｒｅｐｏｒｔ」の報告条件（Ｒｅｐｏｒｔｉｎｇ  Ｃｒｉｔｅｒｉａ）や、かかる報告条件で用いられるパラメータについても設定することができる。【００５１】
「Ｍｅａｓｕｒｅｍｅｎｔ  ＩＤ」は、「Ｍｅａｓｕｒｅｍｅｎｔ  Ｏｂｊｅｃｔ」と「Ｒｅｐｏｒｔｉｎｇ  Ｃｏｎｆｉｇｕｒａｔｉｏｎ」とをリンクするものである。移動局は、「Ｍｅａｓｕｒｅｍｅｎｔ  ＩＤ」が設定されている場合にのみ、「Ｍｅａｓｕｒｅｍｅｎｔ  Ｒｅｐｏｒｔ」を送信し、「Ｍｅａｓｕｒｅｍｅｎｔ  Ｒｅｐｏｒｔ」に対応した「Ｍｅａｓｕｒｅｍｅｎｔ  ＩＤ」を含めることで、どの「Ｍｅａｓｕｒｅｍｅｎｔ  Ｏｂｊｅｃｔ」と「Ｒｅｐｏｒｔｉｎｇ  Ｃｏｎｆｉｇｕｒａｔｉｏｎ」に応じた「Ｍｅａｓｕｒｅｍｅｎｔ  Ｒｅｐｏｒｔ」かを基地局が容易に判断することができる。【００５２】
測定部１４は、Ｍｅａｓｕｒｅｍｅｎｔ  Ｃｏｎｆｉｇｕｒａｔｉｏｎ受信部１３によって、「Ｍｅａｓｕｒｅｍｅｎｔ  Ｏｂｊｅｃｔ」として「ＣＳＧ」が設定されている「Ｍｅａｓｕｒｅｍｅｎｔ  Ｃｏｎｆｉｇｕｒａｔｉｏｎ」が受信された場合に、測定対象として規定されているＣＳＧセル（アクセス限定セル）における無線品質を測定するように構成されている。【００５３】
具体的には、測定部１４は、「ｆｉｎｇｅｒｐｒｉｎｔ」やＧＰＳ情報を用いて、測定対象として規定されているＣＳＧセルを決定するように構成されていてもよい。【００５４】
「ｆｉｎｇｅｒｐｒｉｎｔ」は、移動局がアクセス権を有するＣＳＧセルの周辺環境（例えば、周辺マクロセルのＰＣＩや無線品質など）を保持するもので、「ｆｉｎｇｅｒｐｒｉｎｔ」を用いてＣＳＧセルの測定範囲を限定することができ、ＣＳＧセル測定によるバッテリ消耗を抑圧することができる。【００５５】
例えば、図３に示すように、測定部１４は、ＣＳＧ-ＩＤごとに、測定対象として、ＣＳＧセルにおける「ＧＣＩ」と「ＰＣＩ」と「ＲＡＴ/周波数」との組み合わせを管理するように構成されていてもよい。【００５６】
そして、測定部１４は、報知されているＣＳＧ-ＩＤに基づいて、測定対象のＣＳＧセルを決定するように構成されていてもよい。【００５７】
ここで、測定部１４は、測定対象のＣＳＧセルと同一の周波数のマクロセルにおける無線品質を測定するように構成されていてもよい。【００５８】
また、ＣＳＧセルで用いられている周波数が、現在のサービングセルで用いられている周波数と異なる場合、測定部１４は、Ｍｅａｓｕｒｅｍｅｎｔ  Ｇａｐ  Ｒｅｑｕｅｓｔ送信部１６によって確保されたギャップ期間（測定間隔）において、ＣＳＧセルにおける無線品質を測定するように構成されている。【００５９】
Ｍｅａｓｕｒｅｍｅｎｔ  Ｒｅｐｏｒｔ送信部１５は、前記測定部によって測定された前記アクセス限定セルの無線品質を含む「Ｍｅａｓｕｒｅｍｅｎｔ  Ｒｅｐｏｒｔ（測定報告）」を、マクロ無線基地局Ｍａｃｒｏ-ｅＮＢに対して送信するように構成されている。【００６０】
なお、Ｍｅａｓｕｒｅｍｅｎｔ  Ｒｅｐｏｒｔ送信部１５は、測定部１４によって測定されたＣＳＧセルの無線品質のうち、ＣＳＧ  Ｗｈｉｔｅ  Ｌｉｓｔ管理部１２（アクセス権管理部）によって管理されているＣＳＧ-ＩＤ（アクセス限定グループＩＤ）に対応すると判定或いは推定されるＣＳＧセルにおける無線品質が報告条件（Ｒｅｐｏｒｔｉｎｇ  Ｃｒｉｔｅｒｉａ）を満たした場合にのみ、かかるＣＳＧセルにおける無線品質を含む「Ｍｅａｓｕｒｅｍｅｎｔ  Ｒｅｐｏｒｔ（測定報告）」を送信するように構成されている。【００６１】
ここで、Ｍｅａｓｕｒｅｍｅｎｔ  Ｒｅｐｏｒｔ送信部１５は、報知されているＣＳＧ-ＩＤが、ＣＳＧ  Ｗｈｉｔｅ  Ｌｉｓｔ管理部１２によって管理されている「ＣＳＧ  Ｗｈｉｔｅ  Ｌｉｓｔ」内に含まれているか否かに基づいて、当該ＣＳＧ-ＩＤに対応するＣＳＧセルに対する当該移動局ＵＥのアクセスが許可されているか否かについて判定することができる。【００６２】
或いは、Ｍｅａｓｕｒｅｍｅｎｔ  Ｒｅｐｏｒｔ送信部１５は、測定したセルのＰＣＩが、ＣＳＧ  Ｗｈｉｔｅ  Ｌｉｓｔ管理部１２によって管理されている「ＣＳＧ  Ｗｈｉｔｅ  Ｌｉｓｔ」内に含まれているＣＳＧ-ＩＤに対応したＰＣＩか否かに基づいて、当該ＣＳＧ-ＩＤに対応するＣＳＧセルに対する当該移動局ＵＥのアクセスが許可されているか否かについて推定することができる。【００６３】
また、Ｍｅａｓｕｒｅｍｅｎｔ  Ｒｅｐｏｒｔ送信部１５は、無線品質の良い順に選択した所定数のセルにおける無線品質を含む「Ｍｅａｓｕｒｅｍｅｎｔ  Ｒｅｐｏｒｔ（測定報告）」を送信するように構成されていてもよい。【００６４】
例えば、図５に示すように、Ｍｅａｓｕｒｅｍｅｎｔ  Ｒｅｐｏｒｔ送信部１５は、無線品質の良い順に選択した３つのＣＳＧセル（ＰＣＩ＝Ａ、Ｂ、Ｃ）における無線品質（ＲＳＲＰ＝ａ（ｄＢ）、ｂ（ｄＢ）、ｃ（ｄＢ））を含む「Ｍｅａｓｕｒｅｍｅｎｔ  Ｒｅｐｏｒｔ（測定報告）」を送信するように構成されていてもよい。【００６５】
また、図５に示すように、Ｍｅａｓｕｒｅｍｅｎｔ  Ｒｅｐｏｒｔ送信部１５は、「Ｍｅａｓｕｒｅｍｅｎｔ  Ｒｅｐｏｒｔ（測定報告）」において、どのＣＳＧセルが、ＣＳＧ  Ｗｈｉｔｅ  Ｌｉｓｔ管理部１２によって管理されているＣＳＧ-ＩＤに対応するＣＳＧセルであるかについて、すなわち、当該移動局ＵＥに対してアクセスを許可しているＣＳＧセルであるかについて示すように構成されている。【００６６】
Ｍｅａｓｕｒｅｍｅｎｔ  Ｇａｐ  Ｒｅｑｕｅｓｔ送信部１６は、「Ｍｅａｓｕｒｅｍｅｎｔ  Ｇａｐ  Ｒｅｑｕｅｓｔ（測定間隔要求）」を送信することによって、測定対象として規定されているＣＳＧセルにおける無線品質を測定するためのギャップ期間（測定間隔）を確保するように構成されている。【００６７】
また、Ｍｅａｓｕｒｅｍｅｎｔ  Ｇａｐ  Ｒｅｑｕｅｓｔ送信部１６は、「Ｍｅａｓｕｒｅｍｅｎｔ  Ｇａｐ  Ｒｅｑｕｅｓｔ（測定間隔要求）」に応じて無線基地局ｅＮＢによって指示されたギャップ期間（測定間隔）を確保するように構成されていてもよい。【００６８】
なお、Ｍｅａｓｕｒｅｍｅｎｔ  Ｇａｐ  Ｒｅｑｕｅｓｔ送信部１６は、マクロ無線基地局Ｍａｃｒｏ-ｅＮＢからの通知に応じて、所定期間、「Ｍｅａｓｕｒｅｍｅｎｔ  Ｇａｐ  Ｒｅｑｕｅｓｔ（測定間隔要求）」の送信を停止するように構成されている。【００６９】
ここで、マクロ無線基地局Ｍａｃｒｏ-ｅＮＢは、特定の移動局ＵＥからの「Ｍｅａｓｕｒｅｍｅｎｔ  Ｇａｐ  Ｒｅｑｕｅｓｔ（測定間隔要求）」の乱発を防ぐために、特定の移動局ＵＥから「Ｍｅａｓｕｒｅｍｅｎｔ  Ｇａｐ  Ｒｅｑｕｅｓｔ（測定間隔要求）」を受信した場合、かかる特定の移動局ＵＥに対して、所定期間、「Ｍｅａｓｕｒｅｍｅｎｔ  Ｇａｐ  Ｒｅｑｕｅｓｔ（測定間隔要求）」の送信を停止するように通知する。【００７０】
（本発明の第１の実施形態に係る移動通信システムの動作）
図６を参照して、本発明の第１の実施形態に係る移動局ＵＥの動作について説明する。【００７１】
図５に示すように、ステップＳ１０１において、マクロセル＃１においてＲＲＣ_Ｃｏｎｎｅｃｔｅｄ状態の移動局ＵＥが、マクロ無線基地局Ｍａｃｒｏ-ｅＮＢから送信された「Ｍｅａｓｕｒｅｍｅｎｔ  Ｏｂｊｅｃｔ」として「ＣＳＧ」が設定されている「Ｍｅａｓｕｒｅｍｅｎｔ  Ｃｏｎｆｉｇｕｒａｔｉｏｎ」を受信する。【００７２】
ステップＳ１０２において、移動局ＵＥは、測定対象として規定されており、マクロセル＃１において用いられている周波数と異なる周波数が用いられているＣＳＧセル＃１乃至＃３における無線品質を測定するためのギャップ期間を要求するための「Ｍｅａｓｕｒｅｍｅｎｔ  Ｇａｐ  Ｒｅｑｕｅｓｔ（測定間隔要求）」を、マクロ無線基地局Ｍａｃｒｏ-ｅＮＢに対して送信する。【００７３】
上述のステップＳ１０２は、「ｆｉｎｇｅｒｐｒｉｎｔ」やＧＰＳ情報に基づき移動局ＵＥがＣＳＧセル近傍であることを判断してトリガすることができる。【００７４】
なお、移動局ＵＥは、マクロ無線基地局Ｍａｃｒｏ-ｅＮＢによって、「Ｍｅａｓｕｒｅｍｅｎｔ  Ｇａｐ  Ｒｅｑｕｅｓｔ（測定間隔要求）」の送信を停止するように通知されてから所定期間が経過していない場合には、かかる「Ｍｅａｓｕｒｅｍｅｎｔ  Ｇａｐ  Ｒｅｑｕｅｓｔ（測定間隔要求）」を送信しない。【００７５】
ステップＳ３において、移動局ＵＥは、測定したセルの無線品質のうち、当該移動局ＵＥがアクセス権を有していると想定されるＣＳＧセル（ＣＳＧ  Ｗｈｉｔｅ  Ｌｉｓｔ管理部１２によって管理されているＣＳＧ-ＩＤに対応するＣＳＧセル、例えばＰＣＩによってＣＳＧ-ＩＤに対応するＣＳＧセルと推定する）における無線品質が報告条件を満たしているか否かについて判定する。【００７６】
ステップＳ４において、移動局ＵＥは、当該移動局ＵＥがアクセス権を有していると想定されるＣＳＧセルにおける無線品質が報告条件を満たしていると判定した場合、かかる無線品質を少なくとも含む「Ｍｅａｓｕｒｅｍｅｎｔ  Ｒｅｐｏｒｔ（測定報告）」を、マクロ無線基地局Ｍａｃｒｏ-ｅＮＢに対して送信する。【００７７】
（本発明の第１の実施形態に係る移動通信システムの作用・効果）
本発明の第１の実施形態に係る移動通信システムによれば、マクロ無線基地局Ｍａｃｒｏ-ｅＮＢが、各移動局ＵＥにおいて、ＣＳＧセルの測定対象について保存及び管理していると想定して、「Ｍｅａｓｕｒｅｍｅｎｔ  Ｃｏｎｆｉｇｕｒａｔｉｏｎ」内で「Ｍｅａｓｕｒｅｍｅｎｔ  Ｏｂｊｅｃｔ」として設定されている「ＣＳＧ」に、ＣＳＧセルのＣＳＧ-ＩＤや測定対象周波数等を含めなくてもよいため、「Ｍｅａｓｕｒｅｍｅｎｔ  Ｃｏｎｆｉｇｕｒａｔｉｏｎ」のメッセージサイズを削減することができる。【００７８】
本発明の第１の実施形態に係る移動通信システムによれば、移動局ＵＥは、測定したＣＳＧセルの無線品質のうち、当該移動局ＵＥがアクセス権を有していると想定されるＣＳＧセル（ＣＳＧ  Ｗｈｉｔｅ  Ｌｉｓｔ管理部１２によって管理されているＣＳＧ-ＩＤに対応するＣＳＧセル、例えば、ＰＣＩによってＣＳＧ-ＩＤに対応するＣＳＧセルと推定する）における無線品質が報告条件を満たしている場合にのみ、「Ｍｅａｓｕｒｅｍｅｎｔ  Ｒｅｐｏｒｔ（測定報告）」を送信するように構成されているため、当該移動局ＵＥがアクセス権を有していないＣＳＧセルにおける無線品質が「Ｍｅａｓｕｒｅｍｅｎｔ  Ｒｅｐｏｒｔ（測定報告）」の報告条件を満たした場合であっても「Ｍｅａｓｕｒｅｍｅｎｔ  Ｒｅｐｏｒｔ」を送信するという無駄な送信を回避することができる。【００７９】
（変更例）
なお、上述の移動局ＵＥやマクロ無線基地局Ｍａｃｒｏ-ｅＮＢやホーム無線基地局Ｈｏｍｅ-ｅＮＢや上位ノードＭＭＥの動作は、ハードウェアによって実施されてもよいし、プロセッサによって実行されるソフトウェアモジュールによって実施されてもよいし、両者の組み合わせによって実施されてもよい。【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやマクロ無線基地局Ｍａｃｒｏ-ｅＮＢやホーム無線基地局Ｈｏｍｅ-ｅＮＢや上位ノードＭＭＥ内に設けられていてもよい。また、かかる記憶媒体及びプロセッサは、ディスクリートコンポーネントとして移動局ＵＥやマクロ無線基地局Ｍａｃｒｏ-ｅＮＢやホーム無線基地局Ｈｏｍｅ-ｅＮＢや上位ノードＭＭＥ内に設けられていてもよい。【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００８３】
以上説明したように、本発明によれば、マクロセルからＣＳＧセルへのハンドオーバを最適に実現することができる移動局及び無線基地局を提供することができる。
【図１】
2009119595.tif 000003
【図２】
2009119595.tif 000004
【図３】
2009119595.tif 000005
【図４】
2009119595.tif 000006
【図５】
2009119595.tif 000007
【図６】
2009119595.tif 000008
【図７】
2009119595.tif 000009
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
特定移動局に対してのみアクセスを許可するように設定可能なアクセス限定セルに対してハンドオーバを行うことが可能な移動局であって、
測定間隔要求を送信することによって、測定対象として規定されているアクセス限定セルにおける無線品質を測定するための測定間隔を確保するように構成されている測定間隔要求送信部と、
前記測定間隔において、前記測定対象として規定されているアクセス限定セルにおける無線品質を測定するように構成されている測定部と、
前記測定部によって測定された前記アクセス限定セルの無線品質を含む測定報告を送信するように構成されている測定報告送信部とを具備することを特徴とする移動局。
【請求項２】
前記測定間隔要求送信部は、前記測定間隔要求に応じて無線基地局によって指示された前記測定間隔を確保するように構成されていることを特徴とする請求項１に記載の移動局。
【請求項３】
前記測定間隔要求送信部は、所定期間、前記測定間隔要求の送信を停止するように構成されていることを特徴とする請求項１に記載の移動局。
【請求項４】
特定移動局に対してのみアクセスを許可するように設定可能なアクセス限定セルに対してハンドオーバを行うように移動局に対して指示する無線基地局であって、
前記移動局に対して、アクセス限定セルにおいて無線品質を測定するように指定する第１測定方法指定情報或いは特定の測定対象周波数において無線品質を測定するように指定する第２測定方法指定情報を送信するように構成されており、
前記第１測定方法指定情報には、前記アクセス限定セルに対応するセル個別の情報が含まれておらず、
前記第２測定方法指定情報には、少なくとも前記測定対象周波数が含まれていることを特徴とする無線基地局。
【国際調査報告】
2009119595.tif 000010
2009119595.tif 000011
2009119595.tif 000012
2009119595.tif 000013